(57)【要約】本発明のタオル等の長尺帯体は、例えば、首都分、又は額部分に回巻し、長尺帯体の長尺方向の一端側近傍に形成された少なくとも２以上の縦長線状切欠孔、又は横長線状切欠孔に、長尺帯体の他端側を挿通して長尺帯体を略円弧状に形成することで、首部分、又は額部分に装着して使用する。この縦長線状切欠孔、又は横長線状切欠孔は４０ミリメートル以上に形成されているために長尺帯体の他端側をスムーズに挿通することができるとともに、２以上の縦長線状切欠孔、又は横長線状切欠孔が２重のストッパーとしての役目をし、さらに装着時に捩じれが生じるために、他端側の抜け止め防止機能を果たすこととなる。また孔は、一度に縫製で形成されているために、その縫製が容易であり、製造コストを低減することができることとなる。また、孔が伸縮したりすることがなく、他端側の抜け止めとなる等最適な装着を可能とする。
2005023032.tif 000002
【特許請求の範囲】
【請求項１】
タオル等の長尺帯体に４０ミリメートル以上の縦長線状切欠孔、又は横長線状切欠孔、及び切欠孔縁周辺に滑止手段を一度に縫製することを特徴とする長尺帯体へのホール縫製方法。
【請求項２】
タオル等の長尺帯体には、縫製で一度に４０ミリメートル以上に縫製形成された少なくとも２以上の縦長線状切欠孔、又は横長線状切欠孔が並行状態又は千鳥状態で設けられていることを特徴とする長尺帯体。
【請求項３】
縦長線状切欠孔、又は横長線状切欠孔の縁周辺部に沿って、滑止手段が設けられている請求の範囲第２項に記載の長尺帯体。
【発明の詳細な説明】
【技術分野】  この発明は、例えば首、又は体部分に巻きつけて装着するためのタオル等の長尺帯体、又は線状切欠孔を利用しての長尺帯体を各種の装着具等に利用する長尺帯体、及びその長尺帯体への線状切欠孔の縫製方法に関する。
【背景技術】  例えば、従来からスポーツをする際、又はウォーキングを行う際に汗を吸収するのにタオルが一般的に使用されている。このタオルは長尺状に形成されているために、通常使用者の首部分に巻き付けて装着し、タオルが滑り落ちないようにタオルの両端側を捩じって棒状にして輪を作って結んだり、又はタオルの一端側のみ折り輪を作った後、その輪の中に他端側を挿通することで装着していた。
また、バスの入浴後に使用する大きめのタオル（通称バスタオル）は、体に巻き付けて装着するために、タオルを一端側より体に巻き付けた後、他端側を巻き付けた部分の内側に挿入する。
しかしながら、タオルを首部分に装着する場合は、運動している途中にタオルの結び目部分にズレが生じたり、さらにひどい場合はタオルが体より離脱し、地面に落としてしまう場合が多くあった。また、入浴時に使用するタオルも同様に動きによりタオルが体より離脱しやすいものであった。このように、従来の一般のタオルは装着時の安心感がない不安定なものであった。
そこで、例えば技術分野は相違するものの実用新案登録第３０６３２６１号に開示されているようなマフラーの応用が考えられる。このマフラーは長尺方向の一端側にスリットの形成されたもので、他端側を該スリットに挿通して首部分に回巻して装着するものである。これをタオルに応用する方法である。
しかしながら、公報に開示されている一つのスリットに他端側を挿通して首に回巻するような装着は、マフラーのように長さが十分にあり、マフラー装着時のように体の動きが少なく、また毛糸の材質である場合は、最適でありますが、汗取りのタオルの場合は、運動して体の動きが大きいために、タオルの他端側が、スリットからズレ易く装着時の不安定感を解消できない。
また、スリットを形成するだけでは、使用によりスリット部分に綻びが生じる不備があり、例えば１ケ月の長期的な使用には耐えられない欠点があった。
従って、本発明は、このような従来のタオルの欠点のない、装着が容易であるタオル等の長尺帯体、及びズレのない機能を備えた長尺帯体への線状切欠孔の縫製方法を提供することを目的としている。
【発明の開示】
本発明は、タオル等の長尺帯体に４０ミリメートル以上の縦長線状切欠孔、又は横長線状切欠孔、及び切欠孔縁周辺に滑止手段を一度に縫製することを特徴とする。
また、タオル等の長尺帯体には、縫製で一度に４０ミリメートル以上に縫製された少なくとも２以上の縦長線状切欠孔、又は横長線状切欠孔が並行状態又は千鳥状態で設けられていることを特徴とする。
そして、縦長線状切欠孔、又は横長線状切欠孔の縁周辺部に沿って、滑止手段が設けられていることである。
【図面の簡単な説明】  第１図は、この発明にかかる好ましい長尺帯体を示す平面図であり、第２図は、長尺帯体の縦長線状切欠孔を示す拡大平面図であり、第３図は、長尺帯体の好ましい使用例を示す斜視図であり、第４図は、この発明の長尺帯体の他の実施の形態を示す正面図であり、第５図は、この発明の長尺帯体の他実施の形態を示す概略正面図である。
【発明を実施するための最良の形態】  本発明をより詳細に説述するために、添付の図面に従ってこれを説明する。
第１図は、本発明の長尺帯体を示す平面図であり、第２図は、長尺帯体に形成された縦長線状切欠孔を示す平面図であり、第３図は長尺帯体の使用例を示す斜視図であり、第４図、第５図は本発明の長尺帯体の他実施の形態を示す正面図である。
本発明の長尺帯体１は、タオルに使用されるべく通常考えられる繊維（汗の吸収性の良い繊維）で構成され、且つ通常考えられる長さ（首に回すのに適度な長さ例えば１メートル位）の一本の長尺帯状に形成されている。
長尺帯体１の長尺方向の一端側２近傍には、長尺方向に対して平行した状態で一対の縦長線状切欠孔３Ａ、３Ｂが形成されている。縦長線状切欠孔３Ａ、３Ｂは、長尺帯体１の他端側４が挿通可能な規格縫製加工された大きさに４０ミリメートル以上７０ミリメートル以下に形成されている。この縫製加工は一度に所定の長さの切欠孔を形成した後、その切欠孔の縁周辺部を一度の縫製加工で形成することができる。
この際、前記縦長線状切欠孔３Ａ、３Ｂを平行に形成したのは、長尺帯体１を長尺方向に二つ折りすることで前記縦長線状切欠孔３Ａ、３Ｂを重ねあわせ、他端側４を挿通しやすくするためである。しかしながら、縦長線状切欠孔３Ａ、３Ｂを平行に形成することは、本発明の必須の条件ではなく、例えば、縦長線状切欠孔３Ａと縦長線状切欠孔３Ｂとの位置を千鳥状にズラして形成することで、タオル１を斜めにしてさらに長い状態て使用するようにすることも可能である。
また、縦長線状切欠孔３Ａ、３Ｂは、規格縫製加工されているために、縦長線状切欠孔３の開口の切欠部５は、例えば服のボタンを挿通する孔と同様に構成されているために、長尺帯体１の他端側４を挿通するのに適し、また縦長線状切欠孔３Ａ、３Ｂの形を一定に保持することができる。
さらに、縦長線状切欠孔３Ａ、３Ｂの長さを決定するのは、長尺帯体１の横幅により決定されるものであるが、孔を縦長線状切欠孔３Ａ、３Ｂに変えて横長線状切欠孔３Ｃ、３Ｄに形成することで、その形成位置を自在に変えること、長尺帯体１の長さにより２重の巻き付け等を行うなどが可能となる。
また、縦長線状切欠孔３の縫い目は、ウイップ縫い（平縫い…縫製機で千鳥縫いをしたときと同じように、生地（長尺帯体１）の表には上糸が、裏には下糸がジグザグに出ている縫い目）を、縫製加工で一度に形成される。
この際、綿糸を使用することにより、長尺帯体１と調和することとなる他、毎日の洗濯にも対応することができることとなる。さらに、綿糸を使用することにより、強度を保ことができるので、滑り止め効果を高めることができる。
本発明の長尺帯体１は、このように構成されている。次に、長尺帯体１を装着する場合について説明する。
先ず、長尺帯体１を長尺方向に二つ折り、又は長尺方向に適当に束ねる。そして、装着者の首部分に回し、長尺帯体１の他端側４を一端側２近傍の縦長線状切欠孔３Ａの開口である切欠部５へ挿通する。
その後、縦長線状切欠孔３Ｂの切欠部５に挿通することで長尺帯体１を略リング状に形成して装着する。この際、縦長線状切欠孔３Ａ、３Ｂは、縫製加工されているために、線状切欠状の形を一定に保持することができるので、他端側４の挿通が容易であり、又挿通後の縫製加工部分が滑止となり他端側４が容易に縦長線状切欠孔３Ａ、３Ｂより離反、離脱しない。
しかも、長尺帯体１の他端側４は、縦長線状切欠孔３Ａ、３Ｂの切欠部５…と連続して挿通してあるために前記縦長線状切欠孔３Ａ、３Ｂ部分の線状の切欠部５により長尺帯体１の他端側４は２重に抑押圧された状態となり強い状態で係止された状態となる。従って、スポーツ時に体を大きく動かしてもその離脱がなく、長時間の使用に適し、汗を連続して吸収することで快適に使用することができる。
また、縦長線状切欠孔３Ａ、３Ｂはその開口が線状の切欠部５であるために目立つことがなく、ファッション用的にも適することとなる。
尚、実施の形態では、長尺帯体１を装着者の首部分に回して使用したが、長尺帯体１のサイズを小さくすることで、額に回して使用することも可能である。さらに長尺帯体１のサイズを縮小し、縦長線状切欠孔３の位置、数（例えば、図４に示すように、長尺帯体１の四隅に縦長線状切欠孔３を形成することで長尺帯体１を斜めにして使用する方法）を変更することで、手首に回してテニス、野球をする際の手首の汗止め用として使用することもできる。
また、他の使用方法としては、図５に示すように、長尺帯体１のサイズを拡大した（例えば、縦１２０センチメートル、横７３センチ）入浴用タオルが考えられる。そして、この長尺帯体１の一端側２より平行に３個の横長線状切欠孔３ａ、３ｂ、３ｃ（例えば、一端側２より１５センチメートル、２５センチメートル、３５センチメートルの位置）の規格縫製加工された４０ミリメートル以上の孔を形成する。これにより、長尺帯体１を体に巻き付けた際、他端側４を縦長線状切欠孔３ａ、３ｂ、３ｃの一つ、２つ、又は３つにそれぞれ連続して挿通することで、該他端側４の縦長線状切欠孔３ａ…よりの離脱を阻止することができ、その結果容易に、しかも確実に体に巻き付けて装着することができる。
また、実施の形態では、縦長線状切欠孔３の切欠部５の縫製加工部分を滑止手段と兼用したが、本発明の滑止手段はこれに限定されるものでなく、他の材質（例えば、ゴム等の弾性体を切欠部５縁に設けてもよく、又切欠部５の内側縁部分に樹脂体を設けることで滑止手段とすることも可能である。
さらに、実施の形態では、タオル等対人用として使用する場合について、明記しましたが、例えば、長尺帯体１の前後に平行状態の一対の縦長線状切欠孔３ａ…を設けペット（例えば、犬等）の足を該縦長線状切欠孔３ａに挿通し、且つ長尺帯体１の両側面を上部側で止具等で止めることにより、ペット用の服として使用することも可能であり、また、一対の縦長線状切欠孔３ａを利用して幼児の手を挿通することにより幼児用エプロン等として使用することも可能である。要は、縦長線状切欠孔３ａを挿通孔として使用し、長尺帯体１を各種の形状に成形することによりその使用範囲、使用目的も拡大されることとなる。
【産業上の利用可能性】  以上のように、本発明にかかるタオル等の長尺帯体、長尺帯体へのホール縫製方法は、従来のタオルに比し、その装着方法が容易である他、装着後にズレたり、離脱したりすることなく使用することができ、また、装着時に安定感を与え、あらゆるスポーツ時に最適に使用することができる。
また、縦長線状切欠孔の利用により、長尺帯体を各種目的に応じて成形加工することで、その使用範囲、使用目的を格段に広げることが可能となる。
また、４０ミリメートル以上の縦長線状切欠孔を一度に形成することができるので、製造工程の削減、及び製造コストを低減するために、販売コストの低減を行え、縦長孔、又は横長孔のサイズ、及び形成個数により、装着方法の適用範囲を広げることができる。
【図１】
2005023032.tif 000003
【図２】
2005023032.tif 000004
【図３】
2005023032.tif 000005
【図４】
2005023032.tif 000006
【図５】
2005023032.tif 000007
【国際調査報告】
2005023032.tif 000008
2005023032.tif 000009